(57)【要約】
【課題】　容易に弾の装填を行うことができ、かつ、長時間使用できる小型で低コストの給弾装置を提供する。
【解決手段】　弾を収納する弾タンク１００と、回転歯車１３０の幅よりも広く、かつ、弾の直径よりも狭い回転歯車１３０の回転方向に沿ったガイド溝を有し、マガジンの弾装填孔に弾を移送する弾路１２０と、弾タンク１００と弾路１２０との間に配設され、手動による回転により弾タンク１００の弾を弾路１２０に移送し、かつ、弾路１２０の弾を前記マガジンの弾装填孔に押し出す回転歯車１３０とから構成される。
【選択図】　　　　図１
0003100401.tif 000002
【実用新案登録請求の範囲】
【請求項１】
　エアガンのマガジンに弾を装填する給弾装置であって、
　弾を収納する弾収納部と、
　前記マガジンの弾装填孔に弾を移送する押出路と、
　前記弾収納部と前記押出路との間に配設され、手動による回転により前記弾収納部の弾を前記押出路に移送し、かつ、前記押出路の弾を前記マガジンの弾装填孔に押し出す歯車とを備え、
　前記押出路は、前記歯車の幅よりも広く、かつ、弾の直径よりも狭い前記歯車の回転方向に沿ったガイド溝を有する
　ことを特徴とする給弾装置。
【請求項２】
　前記給弾装置は、側面に手が握られる凹形状を有し、
　前記給弾装置は、さらに、
　前記給弾装置上面に配設され、中心に前記歯車の回転軸を貫通して固定され、手動による自身の回転に連動して前記歯車を回転させるハンドルを備える
　ことを特徴とする請求項１に記載の給弾装置。
【請求項３】
　エアガンのマガジンに弾を装填する給弾装置であって、
　弾を収納する弾収納部と、
　前記マガジンの弾装填孔に弾を移送する押出路と、
　前記弾収納部と押出路との間に配設され、前記弾収納部の弾を押出路に移送する穴を具備し、重力により前記弾収納部の弾を前記穴に導く前記穴に向けた傾斜を有する障壁と、
　一部が前記押出路に設けられ、手動による上下動により前記穴を介して前記押出路に供給された弾を前記マガジンの弾装填孔に押し出すピストンとを備える
　ことを特徴とする給弾装置。
【請求項４】
　エアガンのマガジンに弾を装填する給弾装置であって、
　弾を収納する弾収納部と、
　前記マガジンの弾装填孔に弾を移送する押出路と、
　一部が前記押出路に配設され、手動によるスライドにより前記押出路の弾を前記マガジンの弾装填孔に押し出すスライドレバーと、
　前記弾収納部と押出路との間に配設され、中心に回転軸を貫通して固定され、回転により前記弾収納部の弾を前記押出路に移送する歯車と、
　前記歯車と押出路との間に配設され、前記歯車の幅よりも広く、かつ、弾の直径よりも狭い前記歯車の回転方向に沿ったガイド溝を有し、前記歯車により移送された弾を前記押出路に導くガイド板と、
　一部が前記スライドレバーと接合する無端ベルトと、
　中心に前記歯車の回転軸を貫通して固定され、前記無端ベルトを保持し、自身の回転に連動して前記歯車を回転させる第１のベルト保持具と、
　前記無端ベルトを保持する回転自在の第２のベルト保持具と、
　前記第１のベルト保持具と歯車との間に配設され、前記歯車を同一方向にのみ回転させるワンウェイクラッチとを備える
　ことを特徴とする給弾装置。
【請求項５】
　エアガンのマガジンに弾を装填する給弾装置であって、
　弾を収納する弾収納部と、
　手動によるスライドにより当該押出路の弾を前記マガジンの弾装填孔に押し出すスライドレバーの一部が配設され、前記スライドレバーのスライド方向と一定の角度を有し、前記スライドレバーをスライド可能にするスライドレバー溝と、前記スライドレバー溝において前記スライドレバーが特定の位置にあるときにだけ前記弾収納部の弾を当該押出路に移送する弾移送溝とを具備し、前記マガジンの弾装填孔に前記弾収納部の弾を移送する筒状で回転自在の押出路とを備える
　ことを特徴とする給弾装置。
【請求項６】
　前記給弾装置は、さらに、
　前記押出路に配設され、弾を所定の力よりも強い力で押し出すと通過する弾ストッパを備える
　ことを特徴とする請求項１〜４のいずれか１項に記載の給弾装置。
【考案の詳細な説明】
【技術分野】
【０００１】
　本考案は、エアガンのマガジンに弾を装填する給弾装置に関するものである。
【背景技術】
【０００２】
　従来、玩具銃には、ＢＢ弾と呼ばれるプラスッチック製の球状の弾を発射するエアソフト・ガン(以下、エアガンという）と、弾を発射しないモデルガンとがあり、エアガンには、弾を１列に並べて収納し、バネで弾性的に押し出すことで、エアガン内部の発射部に弾を供給するマガジンが備えられている。
【０００３】
　ところで、マガジンには装填可能な弾数の制限が存在するため、エアガンによる遊戯は、発射部によるマガジンの弾の発射およびマガジンへの弾の装填の繰り返しにより行われるが、マガジンへの弾の装填には、バネの弾性力に抗して弾をマガジン内に押し込む必要があるため、容易に弾の装填を行えないという問題がある。
【０００４】
　このような問題を解決する先行技術として押出棒を用いた給弾装置がある。これは、容易に弾の装填を行うことを目的とするものであり、内部に複数の弾が装填される筒状のケーシングと、ケーシングに挿入され、ケーシングから弾を押し出す押出棒とからなる。
　押出棒を用いた給弾装置によるマガジンへの弾の装填は、押出棒を引っ張った状態でケーシングに１列に弾を装填し、ケーシングの開口端をマガジンの弾装填孔に当てた後、ケーシングに押出棒を押し込み、ケーシングの弾を強制的に押し出すことにより行われる。
　また、上記問題を解決する他の先行技術としてモーターを用いた給弾装置（特許文献１参照）がある。
【０００５】
　図１２は、モーターを用いた給弾装置の断面図である。
　モーターを用いた給弾装置は、押出棒を用いた給弾装置と同様に容易に弾の装填を行うことを目的とするものであり、収納室１２００ａおよび押出路１２００ｂを備え、多数の弾を収納するケーシング１２００と、収納室１２００ａと押出路１２００ｂとの間に配設され、収納室１２００ａに供給された弾を押出路１２００ｂから押し出す強制押出部材１２１０と、強制押出部材１２１０の駆動用のモーター１２２０と、ケーシング１２００に取り付けられ、モーター１２２０の運動を制御するリミットスイッチ１２３０とからなる。ここで、リミットスイッチ１２３０にはオンオフを制御する可動片１２３０ａが設けられており、可動片１２３０ａは、押出路１２００ｂの先端を装弾位置にセットした状態でマガジンに接触する長さに延長されており、押圧により押出路１２００ｂの軸方向に自在に移動し、押出路１２００ｂに向かって押し付けられたときにリミットスイッチ１２３０をオンし、押出路１２００ｂから押し出されたときにリミットスイッチ１２３０をオフする。
【０００６】
　モーターを用いた給弾装置によるマガジンへの弾の装填は、収納室１２００ａ内へ弾を装填し、押出路１２００ｂの先端をマガジンの弾装填孔に当てることで強制押出部材１２１０を回転させ、押出路１２００ｂから弾を強制的に押し出し、マガジンへの弾の装填が完了し、ケーシング１２００をマガジンからの押圧によりマガジンから離させることで強制押出部材１２１０の回転を停止させることによりおこなわれる。
【特許文献１】実公平５−７０２号公報
【考案の開示】
【考案が解決しようとする課題】
【０００７】
　しかしながら、従来の押出棒を用いた給弾装置において、給弾装置に弾を装填する際に、筒状のケーシングに１列に弾を装填しなければならず、弾の装填を容易に行うことができないという問題がある。一方、従来のモーターを用いた給弾装置は、ばらばらに収納した弾を強制押出部材により１列に並べるために、弾を収納する容器として筒状のケーシングを用いる必要が無いので、給弾装置への弾の装填の容易化を実現することができる。しかし、モーターを用いた給弾装置には、強制押出部材を回転させるモーターが備えられているため、給弾装置に電池や複雑な駆動機構が内蔵されることとなり、装置が大型化し、コストが上昇するという問題が生じる。また更に、モーターを用いた給弾装置には、強制押出部材を回転させるモーターが備えられており、モーターは有限なエネルギーを有する電力源、例えば電池等により駆動するため、長時間使用できないという問題も生じる。
【０００８】
　そこで、本考案は、かかる問題点に鑑み、容易に弾の装填を行うことができ、かつ、長時間使用できる小型で低コストの給弾装置を提供することを目的とする。
【課題を解決するための手段】
【０００９】
　上記目的を達成するために、本考案に係る給弾装置は、
エアガンのマガジンに弾を装填する給弾装置であって、弾を収納する弾収納部と、前記マガジンの弾装填孔に弾を移送する押出路と、前記弾収納部と前記押出路との間に配設され、手動による回転により前記弾収納部の弾を前記押出路に移送し、かつ、前記押出路の弾を前記マガジンの弾装填孔に押し出す歯車とを備え、前記押出路は、前記歯車の幅よりも広く、かつ、弾の直径よりも狭い前記歯車の回転方向に沿ったガイド溝を有することを特徴とする。
【００１０】
　これによって、手動で歯車を回転させることにより、弾収納部にばらばらに収納した弾は１列に並べて押出路に導かれ、かつ、押出路から強制的に押し出されるので、容易に弾の装填を行うことができ、かつ、長時間使用できる小型で低コストの給弾装置を実現することができるという効果が発揮される。
【００１１】
　また、前記給弾装置は、側面に手が握られる凹形状を有し、前記給弾装置は、さらに、前記給弾装置上面に配設され、中心に前記歯車の回転軸を貫通して固定され、手動による自身の回転に連動して前記歯車を回転させるハンドルを備えてもよい。
【００１２】
　これによって、給弾装置の側面の凹形状を有する部分を変えることにより、右手あるいは左手用の給弾装置となるので、右利き、左利きどちらも使用方向を選ばず利用できる給弾装置を実現することができるという効果が発揮される。
　本考案は、また、エアガンのマガジンに弾を装填する給弾装置であって、弾を収納する弾収納部と、前記マガジンの弾装填孔に弾を移送する押出路と、前記弾収納部と押出路との間に配設され、前記弾収納部の弾を押出路に移送する穴を具備し、重力により前記弾収納部の弾を前記穴に導く前記穴に向けた傾斜を有する障壁と、一部が前記押出路に設けられ、手動による上下動により前記穴を介して前記押出路に供給された弾を前記マガジンの弾装填孔に押し出すピストンとを備えることを特徴とする給弾装置とすることもできる。
【００１３】
　これによって、給弾装置を傾けることにより、弾収納部にばらばらに収納した弾は穴を介して１列に並べて押出路に導かれ、手動でピストンを上下動させることにより、押出路に導かれた弾は押出路から強制的に押し出されるので、容易に弾の装填を行うことができ、かつ、長時間使用できる小型で低コストの給弾装置を実現することができるという効果が発揮される。
【００１４】
　本考案は、また、エアガンのマガジンに弾を装填する給弾装置であって、弾を収納する弾収納部と、前記マガジンの弾装填孔に弾を移送する押出路と、一部が前記押出路に配設され、手動によるスライドにより前記押出路の弾を前記マガジンの弾装填孔に押し出すスライドレバーと、前記弾収納部と押出路との間に配設され、中心に回転軸を貫通して固定され、回転により前記弾収納部の弾を前記押出路に移送する歯車と、前記歯車と押出路との間に配設され、前記歯車の幅よりも広く、かつ、弾の直径よりも狭い前記歯車の回転方向に沿ったガイド溝を有し、前記歯車により移送された弾を前記押出路に導くガイド板と、一部が前記スライドレバーと接合する無端ベルトと、中心に前記歯車の回転軸を貫通して固定され、前記無端ベルトを保持し、自身の回転に連動して前記歯車を回転させる第１のベルト保持具と、前記無端ベルトを保持する回転自在の第２のベルト保持具と、前記第１のベルト保持具と歯車との間に配設され、前記歯車を同一方向にのみ回転させるワンウェイクラッチとを備えることを特徴とする給弾装置とすることもできる。
【００１５】
　これによって、スライドレバーをスライドさせることにより、歯車が回転し、弾収納部にばらばらに収納した弾は１列に並べて押出路に導かれ、かつ、押出路から強制的に押し出されるので、容易に弾の装填を行うことができ、かつ、長時間使用できる小型で低コストの給弾装置を実現することができるという効果が発揮される。
【００１６】
　本考案は、また、エアガンのマガジンに弾を装填する給弾装置であって、弾を収納する弾収納部と、手動によるスライドにより当該押出路の弾を前記マガジンの弾装填孔に押し出すスライドレバーの一部が配設され、前記スライドレバーのスライド方向と一定の角度を有し、前記スライドレバーをスライド可能にするスライドレバー溝と、前記スライドレバー溝において前記スライドレバーが特定の位置にあるときにだけ前記弾収納部の弾を当該押出路に移送する弾移送溝とを具備し、前記マガジンの弾装填孔に前記弾収納部の弾を移送する筒状で回転自在の押出路とを備えることを特徴とする給弾装置とすることもできる。
【００１７】
　これによって、スライドレバーをスライドさせることにより、押出路が回転し、弾収納部にばらばらに収納した弾は弾移送溝を介して１列に並べて押出路に導かれ、かつ、押出路から強制的に押し出されるので、容易に弾の装填を行うことができ、かつ、長時間使用できる小型で低コストの給弾装置を実現することができるという効果が発揮される。
　また、前記給弾装置は、さらに、前記押出路に配設され、弾を所定の力よりも強い力で押し出すと通過する弾ストッパを備えてもよい。
【００１８】
　これによって、押出路の弾は、所定の力よりも強い力で押し出されるまで押出路から出てこないので、弾こぼれを防止する給弾装置を実現することができるという効果が発揮される。
【考案の効果】
【００１９】
　以上の説明から明らかなように、本考案に係る給弾装置によれば、ケーシングに１列に弾を装填しなくとも、給弾装置内でばらばらに収納した弾を１列に並べるので、マガジンへの弾の装填を容易にする給弾装置を実現することができるという効果が奏される。また、本考案に係る給弾装置によれば、電池や複雑な駆動機構を内蔵しなくとも、ハンドル、ピストンあるいはスイライドレバーを手で動かすことにより、マガジンに弾を装填することができるので、小型で低コストの長時間使用できる給弾装置を実現することができるという効果が奏される。また、本考案に係る給弾装置によれば、弾収納部は複数の弾を収納できる容積を有し、エアガンによる遊戯に際し、別途複数の弾が入った容器を持ち運ぶ必要がないので、持ち運び用の弾の容器を不要にする給弾装置を実現することができるという効果が奏される。また、本考案に係る給弾装置によれば、弾ストッパが押出路に設けられており、押出路の弾は所定の力よりも強い力で押し出されるまで押出路から出てこないので、弾こぼれを防止する給弾装置を実現することができるという効果が奏される。また、本考案に係る給弾装置によれば、給弾装置の側面の凹形状を有する部分を変えることにより、右手あるいは左手用の給弾装置となるので、右利き、左利きどちらも使用方向を選ばず利用できる給弾装置を実現することができるという効果が奏される。
【００２０】
　よって、本考案により、容易に弾の装填を行うことができ、かつ、長時間使用できる小型で低コストの給弾装置を実現することが可能となり、本考案の給弾装置の実用的価値は極めて高い。
【考案を実施するための最良の形態】
【００２１】
　以下、本考案の実施の形態における給弾装置について、図面を参照しながら説明する。
（実施の形態１)
　図１は、第１の実施の形態における給弾装置の断面図であり、図２（ａ）（ｂ）は、同実施の形態における給弾装置の外観正面図および外観側面図である。
　本実施の形態における給弾装置は、容易に弾の装填を行うことができ、かつ、長時間使用できる小型で低コストの給弾装置を実現することを目的とするものであって、弾タンク１００と、回転路１１０と、弾路１２０と、回転歯車１３０と、弾補給蓋１４０と、弾こぼれ防止ストッパ１５０と、ハンドル２００とからなる。ここで、給弾装置は、給弾装置の左側面に手が握られる凹形状を有する。
【００２２】
　弾タンク１００は、プラスチックからなり、複数の弾、例えば数十個〜数百個の弾を収納できる容積を有し、弾を収納する。ここで、弾タンク１００は、弾タンク１００の弾が回転路１１０に導かれるように、回転路１１０に向かう傾斜を有する。なお、弾タンク１００は、外部から弾の残量が確認できるように、例えば、スケルトン色等の光透過性の容器であってもよい。
【００２３】
　回転路１１０は、円弧状で弾タンク１００の底部と連結して設けられ、回転する回転歯車１３０により弾を１列に並べて弾路１２０に移送する。ここで、回転路１１０の太さは、弾を一個ずつ弾路１２０に移送できるような太さ、例えば弾の外径よりも０．２ｍｍ広く、回転路１１０の内径は、数個〜数十個の弾、例えば８個の弾を移送できる程度の長さである。
【００２４】
　弾路１２０は、回転路１１０を介して弾タンク１００と連結され、回転路１１０から供給された弾をマガジンの弾装填孔に移送する。ここで、弾路１２０の太さは、弾を一個ずつマガジンに移送できるような太さ、例えば弾の外径よりも０．２ｍｍ広い。また、図３の斜視図に示されるように、弾路１２０には回転歯車１３０の幅よりも広く、かつ、弾の直径よりも狭い幅を有するガイド溝３００が回転歯車１３０の回転方向に沿って形成されており、回転歯車１３０により弾路１２０に導かれた弾は必ず弾路１２０に供給される。
【００２５】
　回転歯車１３０は、プラスチックからなり、弾タンク１００と弾路１２０との間に配設され、その中心に回転軸を貫通させて固定されており、回転により弾タンク１００の弾を回転路１１０から弾路１２０に１列に並べて移送し、弾路１２０の弾を強制的に押し出す。ここで、回転歯車１３０の谷間は、弾を１つ収納できる程度の間隔であり、回転歯車１３０の幅は、弾の直径よりも狭い。
【００２６】
　弾補給蓋１４０は、プラスチックからなり、弾タンク１００の開口部に設けられ、端部をＡ方向に移動させることにより弾タンク１００の開口部を開閉する。なお、弾補給蓋１４０は、外部から弾の残量が確認できるように、例えば、スケルトン色等の光透過性の蓋であってもよい。
　弾こぼれ防止ストッパ１５０は、ゴムあるいはシリコン樹脂等からなり、弾の通過を防ぐように弾路１２０に設けられ、弾が所定の力よりも強い力で押し出されたときに、弾を通過させる。なお、弾路１２０の先端部（弾こぼれ防止ストッパ１５０部分）に、弾径より０.２ｍｍ狭い径を持ち、かつ、弾の進路方向に２あるいは３分割されたプラスチックからなる筒形状の弾路を設け、分割されたプラスチックの弾性により、プラスチックの弾性より強い所定の力で押し出されるまで、弾の通過を防いでもよい。
【００２７】
　ハンドル２００は、プラスチックからなり、給弾装置の上面に配設され、その中心に回転歯車１３０の回転軸を貫通させて固定されており、自身の回転運動に連動して回転歯車１３０を回転させる。ここで、ハンドル２００にはノブ形状の取っ手が形成されており、ハンドル２００は、図４の給弾装置の正面外観図に示されるように、給弾装置の凹形状を有する部分を手で握り、親指でノブを引っ掛けて回転させることにより回転する。なお、給弾装置を右手で握ることを仮定し、ハンドル２００は給弾装置の上面に配設され、給弾装置は左側面に凹形状を有するとしたが、給弾装置を右手で握ることを仮定して、ハンドル２００は給弾装置の上面に配設され、給弾装置は右側面に凹形状を有してもよい。
【００２８】
　以上のような構造を有する給弾装置によるマガジンへの弾の装填は、弾路１２０の先端をマガジンの弾装填孔に当て、ハンドル２００をＢ方向に回転させることで、弾タンク１００の弾を弾路１２０に移送し、かつ、弾路１２０の弾を強制的に押し出すことによりおこなわれる。
【００２９】
　以上のように本実施の形態の給弾装置によれば、ハンドル２００のノブをＢ方向に回転させることで回転歯車１３０を回転させ、ばらばらに収納した弾を弾路１２０に導き、１列に並べる。よって、本実施の形態の給弾装置は、マガジンへの弾の装填を容易にする給弾装置を実現することができる。
【００３０】
　また、本実施の形態の給弾装置によれば、手動でノブを回転させて回転歯車１３０を回転させることにより、弾路１２０の弾を強制的に押し出す。よって、電池や複雑な駆動機構を内蔵しなくともマガジンに弾を装填することができるので、本実施の形態の給弾装置は、小型で低コストの給弾装置を実現することができる。また同時に、有限なエネルギーを有する電力源を要しないので、長時間使用できる給弾装置を実現することができる。
【００３１】
　また、本実施の形態の給弾装置によれば、弾タンク１００は複数の弾を収納できる容積を有する。よって、エアガンによる遊戯に際し、別途複数の弾が入った容器を持ち運ぶ必要がないので、本実施の形態の給弾装置は、持ち運び用の弾の容器を不要にする給弾装置を実現することができる。
　また、本実施の形態の給弾装置によれば、弾こぼれ防止ストッパ１５０が弾路１２０に設けられる。よって、弾路１２０の弾は所定の力よりも強い力で押し出されるまで弾路１２０から出てこないので、弾こぼれを防止する給弾装置を実現することができる。
【００３２】
　また、本実施の形態の給弾装置によれば、給弾装置の側面の凹形状を有する部分を手で握り、親指でノブを引っ掛けて給弾装置の上面のハンドル２００を回転させることによりマガジンへの弾の装填を行う。よって、給弾装置の側面の凹形状を有する部分を変えることにより、右手あるいは左手用の給弾装置となるので、本実施の形態の給弾装置は、右利き、左利きどちらも使用方向を選ばず利用できる給弾装置を実現することができる。
【００３３】
　なお、本実施の形態の給弾装置において、弾補給蓋１４０は、オープン方式の蓋であり、端部をＡ方向へ移動させることで弾タンク１００の開口部を開閉するとした。しかし、弾補給蓋１４０は、スライド方式の蓋であり、Ｃ方向へのスライドにより弾タンク１００の開口部を開閉してもよいし、また、着脱可能なキャップであり、着脱により弾タンク１００の開口部を開閉してもよい。
【００３４】
（実施の形態２)
　図５は、第２の実施の形態における給弾装置の断面図であり、図６は、同実施の形態における給弾装置の正面図および側面図である。図５、６において、図１と同一の要素には同一の符号が付されており、それらに関する詳しい説明はここでは省略する。
【００３５】
　本実施の形態における給弾装置は、第１の実施の形態の給弾装置と同様に、容易に弾の装填を行うことができ、かつ、長時間使用できる小型で低コストの給弾装置を実現することを目的とするものであって、弾タンク１００と、弾路１２０と、弾こぼれ防止ストッパ１５０と、穴５００と、障壁５１０と、ピストン５２０と、弾補給蓋５３０とからなる。
　穴５００は、障壁５１０に設けられ、弾タンク１００の弾を弾路１２０に移送する。ここで、穴５００の太さは、弾路１２０の太さとほぼ等しい。また、穴５００は、ピストン５２０が弾路１２０に押し入れられているときに、弾路１２０に弾が供給されないようにし、ピストン５２０が弾路１２０の上端位置に引き上げられているときに、弾路１２０に弾が供給されるようにするため、弾路１２０の上部に位置する。
【００３６】
　障壁５１０は、プラスチックからなり、弾タンク１００と弾路１２０との間に配設され、穴５００以外の部分での弾タンク１００から弾路１２０への弾の移動を妨げる。ここで、障壁５１０は、弾タンク１００の弾が穴５００に導かれるように、穴５００に向かう傾斜を有する。
　ピストン５２０は、プラスチックからなり、上下動可能に弾路１２０に挿入されており、Ｄ方向への押し入れにより弾路１２０の弾を強制的に押し出す。ここで、ピストン５２０の棒の太さは、弾路１２０の太さとほぼ等しい。
　弾補給蓋５３０は、プラスチックからなり、弾タンク１００の開口部に設けられ、Ｃ方向へのスライドで弾タンク１００の開口部を開閉する。
【００３７】
　以上のような構造を有する給弾装置によるマガジンへの弾の装填は、ピストン５２０を弾路１２０の上端位置に引き上げ、給弾装置を傾けることで、弾タンク１００の弾を弾路１２０に移送し、弾路１２０の先端をマガジンの弾装填孔に当て、ピストン５２０をＤ方向に押し入れることで、弾路１２０の弾を強制的に押し出すことによりおこなわれる。
【００３８】
　以上のように本実施の形態の給弾装置によれば、ばらばらに収納した弾を障壁５１０の傾斜により穴５００を介して弾路１２０に導き、１列に並べる。よって、本実施の形態の給弾装置は、マガジンへの弾の装填を容易にする給弾装置を実現することができる。
【００３９】
　また、本実施の形態の給弾装置によれば、手動でピストン５２０をＤ方向に押し入れることで、弾路１２０の弾を強制的に押し出す。よって、電池や複雑な駆動機構を内蔵しなくとも弾をマガジンに装填することができるので、本実施の形態の給弾装置は、小型で低コストの給弾装置を実現することができる。また同時に、有限なエネルギーを有する電力源を要しないので、長時間使用できる給弾装置を実現することができる。
【００４０】
　なお、本実施の形態の給弾装置において、弾補給蓋５３０は、スライド方式の蓋であり、Ｃ方向へのスライドで弾タンク１００の開口部を開閉するとした。しかし、弾補給蓋５３０は、オープン方式の蓋であり、端部をＡ方向移動させることで弾タンク１００の開口部を開閉してもよいし、また、着脱可能なキャップであり、着脱により弾タンク１００の開口部を開閉してもよい。
【００４１】
（実施の形態３)
　図７は、第３の実施の形態における給弾装置の断面図であり、図８は、同実施の形態における給弾装置の正面図および側面図である。図７、８において、図１と同一の要素には同一の符号が付されており、それらに関する詳しい説明はここでは省略する。
【００４２】
　本実施の形態における給弾装置は、第１の実施の形態の給弾装置と同様に、容易に弾の装填を行うことができ、かつ、長時間使用できる小型で低コストの給弾装置を実現することを目的とするものであって、弾タンク１００と、回転路１１０と、弾路１２０と、弾こぼれ防止ストッパ１５０と、回転歯車７００と、ガイド板７１０と、上部プーリー７２０と、下部プーリー７３０と、無端ベルト７４０と、スライドレバー７５０と、弾補給蓋７６０とからなる。
【００４３】
　回転歯車７００は、プラスチックからなり、弾タンク１００と弾路１２０との間に配設され、その中心に回転軸を貫通させて固定されており、回転により弾タンク１００の弾を回転路１１０から弾路１２０に１列に並べて移送する。ここで、下部プーリー７３０の回転軸と回転歯車７００との間にはワンウェイクラッチが配設されており、下部プーリー７３０がＧ方向に回転したときのみ、下部プーリー７３０の動力が回転歯車７００に伝達される。また、回転歯車７００の谷間は、弾を１つ収納できる程度の間隔であり、回転歯車７００の幅は、弾の直径よりも狭い。
【００４４】
　ガイド板７１０は、プラスチックからなり、回転歯車７００と弾路１２０との間に配設され、回転歯車７００により移送された弾を弾路１２０に導く。つまり、図９の斜視図に示されるように、ガイド板７１０は、回転歯車７００の回転方向に沿って形成されたガイド溝９００を有し、ガイド溝９００の幅は、回転歯車７００の幅よりも広く、かつ、弾の直径よりも狭いので、回転歯車７００により移送させた弾は必ず弾路１２０に供給されるのである。
【００４５】
　上部プーリー７２０は、プラスチックからなり、回転自在な状態で弾タンク１００に配設され、その中心に回転軸を貫通させて固定されており、無端ベルト７４０を保持する。
　下部プーリー７３０は、プラスチックからなり、回転自在な状態で回転歯車７００上に配設され、その中心に回転歯車７００の回転軸を貫通させて固定されており、Ｇ方向に回転するときには連動して回転歯車７００をＧ方向に回転させる。
【００４６】
　無端ベルト７４０は、上部プーリー７２０および下部プーリー７３０に架設され、スライドレバー７５０のスライドにより生じる回転動力を上部プーリー７２０および下部プーリー７３０に伝達する。ここで、無端ベルト７４０の一部は、スライドレバー７５０とねじ等により接合している。なお、無端ベルト７４０の一部とスライドレバー７５０とは、ねじにより接合されるとしたが、無端ベルト７４０の一部とスライドレバー７５０とを接合できればそれに限られず、無端ベルト７４０の一部とスライドレバー７５０とを接着剤により接合してもよい。
【００４７】
　スライドレバー７５０は、プラスチックからなり、スライド可能な状態で弾路１２０に配設され、Ｈ方向へのスライドにより弾路１２０の弾を強制的に押し出し、また、Ｉ方向へのスライドにより無端ベルト７４０を介して下部プーリー７３０をＧ方向に回転させる。
　弾補給蓋７６０は、プラスチックからなり、弾タンク１００の開口部に設けられた着脱式のキャップである。
【００４８】
　以上のような構造を有する給弾装置によるマガジンへの弾の装填は、スライドレバー７５０をＩ方向へスライドさせることで回転歯車７００をＧ方向に回転させ、弾を弾路１２０に移送し、弾路１２０の先端をマガジンの弾装填孔に当て、スライドレバー７５０をＨ方向へスライドさせることで弾路１２０の弾を強制的に押し出すことによりおこなわれる。
【００４９】
　以上のように本実施の形態の給弾装置によれば、スライドレバー７５０をＩ方向へスライドさせることで回転歯車７００をＧ方向に回転させ、ばらばらに収納した弾を弾路１２０に導き、１列に並べる。よって、本実施の形態の給弾装置は、マガジンへの弾の装填を容易にする給弾装置を実現することができる。
【００５０】
　また、本実施の形態の給弾装置によれば、スライドレバー７５０をＨ方向へスライドさせることで、弾路１２０の弾を強制的に押し出す。よって、電池や複雑な駆動機構を内蔵しなくとも弾をマガジンに装填することができるので、本実施の形態の給弾装置は、小型で低コストの給弾装置を実現することができる。また同時に、有限なエネルギーを有する電力源を要しないので、長時間使用できる給弾装置を実現することができる。
【００５１】
　なお、本実施の形態の給弾装置において、弾補給蓋７６０は、着脱可能なキャップであり、着脱により弾タンク１００の開口部を開閉するとした。しかし、弾補給蓋７６０は、スライド方式の蓋であり、Ｃ方向へのスライドで弾タンク１００の開口部を開閉してもよいし、また、オープン方式の蓋であり、端部をＡ方向移動させることで弾タンク１００の開口部を開閉してもよい。
【００５２】
　また、本実施の形態の給弾装置において、スライドレバー７５０のスライド運動により生じる回転動力を無端ベルト７４０により上部プーリー７２０および下部プーリー７３０に伝達し、下部プーリー７３０を回転させることにより回転歯車７００を回転させるとした。しかし、無端ベルト７４０を無端チェーンに、上部プーリー７２０および下部プーリー７３０を上部スプロケットおよび下部スプロケットに置き換え、スライドレバー７５０のスライド運動により生じる回転動力を無端チェーンにより上部スプロケットおよび下部スプロケットに伝達し、下部スプロケットを回転させることにより回転歯車７００を回転させてもよい。
【００５３】
（実施の形態４)
　図１０は、第３の実施の形態における給弾装置の断面図である。図１０において、図１と同一の要素には同一の符号が付されており、それらに関する詳しい説明はここでは省略する。
【００５４】
　本実施の形態における給弾装置は、第１の実施の形態の給弾装置と同様に、容易に弾の装填を行うことができ、かつ、長時間使用できる小型で低コストの給弾装置を実現することを目的とするものであって、弾タンク１００と、弾補給蓋１４０と、弾こぼれ防止ストッパ１５０と、弾路筒１０００と、スライドレバー１０１０とからなる。
　図１１（ａ）、（ｂ）、（ｃ）は、スライドレバー１０１０が弾路筒１０００の中央に位置するときの弾路筒１０００の上面図、下面図および断面図（上面図および下面図のＬ−Ｌ’線における断面図）である。
【００５５】
　図１１（ａ）、（ｂ）、（ｃ）に示されるように、弾路筒１０００は、プラスチックからなり、スライドレバー１０１０をスライド可能にするスライドレバー溝１１００と、弾タンク１００の弾を弾路筒１０００に移送する弾移送溝１１１０とを備え、弾移送溝１１１０を介して弾タンク１００から供給された弾を１列に並べ、マガジンの弾装填孔に移送する。ここで、弾路筒１０００の太さは弾を一個ずつマガジンに供給できるような太さ、例えば弾の外径よりも０．２ｍｍ広く、スライドレバー溝１１００の幅は弾の直径よりも狭く、弾移送溝１１１０の幅は弾の直径とほぼ等しい。また、スライドレバー溝１１００は、スライドレバー１０１０のスライドにより弾路筒１０００を回転させるため、弾路筒１０００のスライド方向であるＫ方向に対して一定の角度を持ち、弾移送溝１１１０は、スライドレバー１０１０がスライドレバー溝１１００の右端部に位置するときにだけ弾タンク１００の弾が弾路筒１０００に移送されるように、弾路筒１０００の右端部におけるスライドレバー溝１１００の位置の反対側に位置する。なお、弾移送溝１１１０は、スライドレバー１０１０がスライドレバー溝１１００の右端部に位置するときにだけ弾タンク１００の弾が弾路筒１０００に移送されるように位置するとしたが、スライドレバー１０１０が特定の位置にあるときにだけ弾タンク１００の弾が弾路筒１０００に移送されるようにすればそれに限られない。
【００５６】
　スライドレバー１０１０は、プラスチックからなり、弾路筒１０００のスライドレバー溝１１００に沿ってスライド可能な状態でその一部が弾路筒１０００に配設され、Ｋ方向へのスライドにより弾路筒１０００の弾を強制的に押し出す。
　以上のような構造を有する給弾装置によるマガジンへの弾の装填は、スライドレバー１０１０を右端位置にスライドさせることで、弾タンク１００の弾を弾路筒１０００に移送し、弾路筒１０００の先端をマガジンの弾装填孔に当て、スライドレバー１０１０をＫ方向へスライドさせることで弾路筒１０００の弾を強制的に押し出すことによりおこなわれる。
【００５７】
　以上のように本実施の形態の給弾装置によれば、スライドレバー１０１０を右端位置にスライドさせることで、ばらばらに収納した弾を弾路筒１０００に導き、１列に並べる。よって、本実施の形態の給弾装置は、マガジンへの弾の装填を容易にする給弾装置を実現することができる。
【００５８】
　また、本実施の形態の給弾装置によれば、スライドレバー１０１０をＫ方向にスライドさせることで、弾路筒１０００の弾を強制的に押し出す。よって、電池や複雑な駆動機構を内蔵しなくとも弾をマガジンに装填することができるので、本実施の形態の給弾装置は、小型で低コストの給弾装置を実現することができる。また同時に、有限なエネルギーを有する電力源を要しないので、長時間使用できる給弾装置を実現することができる。
【産業上の利用可能性】
【００５９】
　本考案は、玩具銃のマガジンに弾を装填する給弾装置に利用でき、マガジンへの弾の給弾装置に利用することができる。
【図面の簡単な説明】
【００６０】
【図１】第１の実施の形態における給弾装置の断面図である。
【図２】（ａ）同実施の形態における給弾装置の外観正面図である。（ｂ）同実施の形態における給弾装置の外観側面図である。
【図３】歯車１３０により移送された弾が弾路１２０に供給される様子を示す歯車１３０および弾路１２０の斜視図である。
【図４】手でハンドル２００を回転させる様子を説明するための給弾装置の正面外観図である。
【図５】第２の実施の形態における給弾装置の断面図である。
【図６】（ａ）同実施の形態における給弾装置の外観正面図である。（ｂ）同実施の形態における給弾装置の外観側面図である。
【図７】第３の実施の形態における給弾装置の断面図である。
【図８】（ａ）同実施の形態における給弾装置の外観正面図である。（ｂ）同実施の形態における給弾装置の外観側面図である。
【図９】回転歯車７００により移送された弾がガイド板７１０により弾路１２０に導かれる様子を示す回転歯車７００およびガイド板７１０の斜視図である。
【図１０】第４の実施の形態における給弾装置の断面図である。
【図１１】（ａ）弾路筒１０００の外観下面図（ｂ）弾路筒１０００の外観上面図（ｃ）弾路筒１０００の断面図（上面図および下面図のＬ−Ｌ’線における断面図）である。
【図１２】従来のモーターを用いた給弾装置の断面図である。
【符号の説明】
【００６１】
　　１００　　弾タンク
　　１１０　　回転路
　　１２０　　弾路
　　１３０、７００　　回転歯車
　　１４０、５３０、７６０　　弾補給蓋
　　１５０　　弾こぼれ防止ストッパ
　　２００　　ハンドル
　　３００、９００　　ガイド溝
　　５００　　穴
　　５１０　　障壁
　　５２０　　ピストン
　　７１０　　ガイド板
　　７２０　　上部プーリー
　　７３０　　下部プーリー
　　７４０　　無端ベルト
　　７５０、１０１０　　スライドレバー
　　１０００　　弾路筒
　　１１００　　スライドレバー溝
　　１１１０　　弾移送溝
　　１２００　　ケーシング
　　１２００ａ　　収納室
　　１２００ｂ　　押出路
　　１２１０　　強制押出部材
　　１２２０　　モーター
　　１２３０　　リミットスイッチ
　　１２３０ａ　　可動片
【図１】
0003100401.tif 000003
【図２】
0003100401.tif 000004
【図３】
0003100401.tif 000005
【図４】
0003100401.tif 000006
【図５】
0003100401.tif 000007
【図６】
0003100401.tif 000008
【図７】
0003100401.tif 000009
【図８】
0003100401.tif 000010
【図９】
0003100401.tif 000011
【図１０】
0003100401.tif 000012
【図１１】
0003100401.tif 000013
【図１２】
0003100401.tif 000014